(57)【要約】【課題】児童生徒達が自らの手で簡単に星座表示装置を製作することができる星座表示装置製作用キット及び星座表示装置を提供。【解決手段】筒状外容器、該外容器内に摺接可能に嵌装される筒状内容器、前記筒状内容器の先端部あるいは内腔内に装着可能で、かつ星に相当する穴の複数で星座が描かれた着色された平板状星座板部材、ＬＥＤ光源系及び該ＬＥＤ光源系のスイッチを少なくとも有することを特徴とするＬＥＤを使用した星座表示装置製作用キット。【選択図】図１
0003154575.tif 000002
【実用新案登録請求の範囲】
【請求項１】
筒状外容器、該外容器内に摺接可能に嵌装される筒状内容器、前記筒状内容器の先端部あるいは内腔内に装着可能で、かつ星に相当する穴の複数で星座が描かれた着色された平板状星座板部材、ＬＥＤ光源系及び該ＬＥＤ光源系のスイッチを少なくとも有することを特徴とするＬＥＤを使用した星座表示装置製作用キット。
【請求項２】
筒状外容器と筒状内容器が相互に回転可能で、かつ前記筒状外容器内に嵌装された前記筒状内容器は、前記筒状外容器内から引き出し可能なものである請求項１記載の星座表示装置製作用キット。
【請求項３】
星座板部材が青色に着色された請求項１または２に記載のＬＥＤを使用した星座表示装置製作用キット。
【請求項４】
筒状内容器の内壁面の少なくとも一部が反射部材を有している請求項１〜３のいずれかに記載のＬＥＤを使用した星座表示装置製作用キット。
【請求項５】
筒状外容器及び筒状内容器が円筒状容器である請求項１〜４のいずれかに記載のＬＥＤを使用した星座表示装置製作用キット。
【請求項６】
ＬＥＤ光源系が複数のＬＥＤ及び電池で構成されたものである請求項１〜５のいずれかに記載の星座表示装置製作用キット
【請求項７】
筒状外容器、該外容器内に摺接可能に嵌装される筒状内容器、前記筒状内容器の先端部あるいは内腔内に装着可能で、かつ星に相当する穴の複数で星座が描かれ着色された平板状星座板部材、ＬＥＤ光源系及び該ＬＥＤ光源系のスイッチを少なくとも備えて構成されたことを特徴とするＬＥＤを使用した星座表示装置。
【考案の詳細な説明】
【技術分野】
【０００１】
本考案は、ＬＥＤを使用した星座表示装置製作用キット及びＬＥＤを使用した星座表示装置に関するものである。
【背景技術】
【０００２】
児童生徒達が理科の教育において、自らの手で容易に製作することができる簡単な星座表示装置製作用キット及び該キットで作られた星座表示装置は知られていなかった。
【０００３】
星座表示装置として、星座盤と、この星座盤の星座表示部を照明する照明手段と、星座盤本体の星座表示部を拡大視認可能に設けられた拡大レンズとを一体に備え、手持ちで使用可能である星座早見装置は知られていたが（特開平２００３−１５００４号公報）、この星座早見装置は児童生徒達が理科の教育において、自らの手で簡単に製作することができる構造のものではなかった。
【先行技術文献】
【特許文献】
【０００４】
【特許文献１】特開２００３−１５００４号公報
【考案の概要】
【考案が解決しようとする課題】
【０００５】
解決しようとする問題点は、児童生徒達が自らの手で簡単に星座表示装置を製作することができ、かつ多数の星が輝く中にので非常に美麗な星座表示装置製作用キット及び星座表示装置を提供する点である。本考案の星座表示装置は、上述のように非常に美麗に星座を描きだすことができるので、完成品は玩具としても好適である。
【課題を解決するための手段】
【０００６】
本考案は、筒状外容器、該外容器内に摺接可能に嵌装される筒状内容器、前記筒状内容器の先端部あるいは内腔内に装着可能で、かつ星に相当する穴の複数で星座が描かれた平板状星座板部材、ＬＥＤ光源系及び該ＬＥＤ光源系のスイッチを少なくとも有することを特徴とするＬＥＤを使用した星座表示装置製作用キット及び星座表示装置を提供することにより、前記前記課題を解決することができた。前記筒状外容器と筒状内容器は相互に回転可能で、かつ前記筒状外容器内に嵌装された前記筒状内容器は、前記筒状外容器内から引き出し可能なものが好ましい。
【０００７】
本考案のキットの構成部品として提供される着色された平板状星座板部材は、星に相当する穴の複数で星座が描かれ、かつ着色されたものである。着色は青色、特に濃青色で着色されたものが、夜空の色を最も美しく表現することができるので好ましい。ただし、星座板部材の色としては前記のように濃青色が好ましいが、青色以外に例えば白色、緑色、黄色等の色も使用できる。
【０００８】
平板状星座板部材を構成する材質としては紙が好ましいが、その他、光を透過することができるプラスチックフィルムが挙げられる。平板状星座板部材の筒状内容器への装着は、例えば筒状内容器の先端部に接着テープ等によって固定して装着しても良いし、あるいは前記平板状星座板部材を装着させた型枠（例えば平板状星座板部材を型枠に貼着）を筒状内容器の先端部にはめ込むことによって交換可能に装着させることもできる。さらには前記平板状星座板部材を装着した型枠は前記はめ込み以外に、該平板状星座板部材を筒状内容器内に嵌合させ、接着材あるいは粘着材例えば感圧性の両面接着テープによって筒状内容器内に固定することもできる。また、この星座板部材をキットの構成部品として業者が提供する場合、異なる種類の星座の描かれた平板状星座板部材をキットの構成部品とすることがが好ましい。例えば、冬の星座、夏の星座等が挙げられ、また理科教育の観点からは、少なくとも冬のオリオン座と大三角、夏の白鳥座と大三角、北の北極星と北斗七星、カシオペアなどの星座を描いたものがキットの構成部材として含まれるものが好ましい。
【０００９】
前記平板状星座板部材がキット構成部品として提供される場合、種々の態様で提供されることができる。例えば既に星に相当する穴の複数で星座が描かれ、かつ着色されたものでも良いし、あるいは星座のみが印刷してあるのみのものであってもよい。後者の場合、児童生徒達が穴をあけて前記平板状星座板部材を完成する。前記穴あけの道具は星の大きさに合わせて、錐、目打ち、押しピン、天の川などは待針を用いる。前記星に相当する穴の形状は、任意の形状、例えば円形状であってもよいが、「☆」形状のようなものであっても良く、さらには穴の大きさは星の種類、例えば何等星かによって異なるものとしても良い。特に児童生徒達は前記のような穴あけを手で行うことによって、星の位置や大きさ等を自然と学習することができる。
【００１０】
前記ＬＥＤ光源系は複数のＬＥＤ及び電池で構成されたものである。ＬＥＤの数は１個でもよいが、複数個を用いるのが好ましい。本考案の星座表示装置製作用キットは、前記筒状外容器内に前記筒状内容器を嵌装した状態でLEDに通電することにより星座を描き出すことができるが、特に複数個のLEDを用い、さらにLEDの配置を、各LEDから光が平板状星座板部材に形成された穴を通過した後に前記反射部材に到達することができるものとすることにより、星座の星を反射部材にも描き出される。このようにして描き出された星座は満天に多数の星が輝いた状態の中に星座を描き出すことができ、非常に美麗なものとなる。さらに前記筒状外容器内に前記筒状内容器を嵌装した状態から前記筒状外容器内から前記筒状内容器を引き出すと反射部材に描かれた星は空から落ちるような状態を作り出すことができるので、さらに星座を楽しく見ることができる。前記のような状態を作りだすために必要なLEDの数は、反射部材の面積あるいは筒状内容器の径に応じて異なるが、通常１〜２個では不十分で３個以上が好ましい。
【００１１】
前記ＬＥＤ光源系のLEDの色は、特にその種類を制限することなく用いることができるが、例えば青色、白色、緑色、黄色等を用いることができるが、特に青色が好ましい。複数個のLEDを使用する場合に異なる色のLEDを採用することにより、例えば色や星座の相違を感覚的に強調することができる。本考案で使用するLEDは市販のLCDを利用することができ、例えば砲弾型LEDや表面実装型（SMD）LEDが挙げられる。
【００１２】
キットの構成部品として提供される前記ＬＥＤ光源系の一例としては、平板状部材にＬＥＤ光源及び電池を配設した構造のものが挙げられる。前記ＬＥＤ光源及び電池を配設する平板状部材としては、配設されたＬＥＤ光源及び電池を保持できる強度を有する素材であれば良く、このような素材としては例えば紙、木材、プラスチックが挙げられるが、中でも軽量で前記のような強度が得られ易く、かつ成形が可能な発泡ポリスチロールやパーティクルボード（木を粉砕して接着剤で固めたもの）等が好ましい。
【００１３】
これらキットの構成部品として提供された前記平板状部材に配設されたＬＥＤ光源系の筒状外容器への装着は、前記平板状星座板部材の筒状内容器への装着と同様に行うことができる。すなわち、前記平板状部材に配設されたＬＥＤ光源系は筒状外容器の先端部に接着テープ等によって装着しても良いし、あるいは筒状外容器の先端部に嵌合可能な型枠を作り、前記前記ＬＥＤ光源及び電池を配設する平板状部材を装着（例えば貼着により装着）したこの型枠に嵌合させることによっても行なうことができるし、さらには前記前記ＬＥＤ光源及び電池を配設する平板状部材を装着した型枠を筒状内容器内に嵌合させ、例えば感圧性の両面接着テープによって筒状外容器内に固定するものが挙げられる。
【００１４】
前記キットの構成部品としては、ＬＥＤ光源、電池、スイッチ及び前記部材を連絡する配線部材等のみが提供され、このキットの組立者は前記ＬＥＤ光源と電池を保持できる板状部材を作成して、この板状部材に前記ＬＥＤ光源と電池を配線状態で保持させた後に前記のようにして外容器に装着させてもよい。また、スイッチは外容器の側面の任意の箇所に設けることができる。
【００１５】
さらにキットの構成部品として前記筒状外容器及び筒状内容器は、あらかじめ紙やプラスチック等の容器形状のものとして提供されても良いが、キットの組立者、例えば児童生徒達が前記筒状外容器及び筒状内容器形状とすことができる平板状の紙やプラスチック等の形で提供されてもよい。例えばこのようなキットの構成部品としては、丸めることにより円筒状の外容器及び円筒状の内容器を形成することができる平板状の紙や柔らかなプラスチック板等を挙げることができる。また、前記筒状外容器及び筒状内容器の形状は円筒状のものが好ましいが、前記筒状内容器が外容器内に摺接可能に嵌装される、という要件を満足し、かつ本考案の意図する効果を奏するものであれば他の形状であってもよい。さらに前記平板状の紙を使用して前記筒状外容器及び筒状内容器を製作する場合、該平板状の紙をそのものをキットの構成部品として同梱される代わりに、取扱い説明中に前記筒状外容器及び筒状内容器を製作するに必要なサイズ、形状あるいは紙質等を指示したものを同封させてキットを構成してもよい。
【考案の効果】
【００１６】
本考案によると児童生徒達が自らの手で簡単に星座表示装置を製作することができ、かつ満天に多数の星が輝いた中に星座を描き出すという非常に美麗な表示状態の星座表示装置製作用キット及び星座表示装置を提供することができた。
【図面の簡単な説明】
【００１７】
【図１】本発明の星座表示装置の構成、及び該装置内の光挙動を示す図である。
【考案を実施するための形態】
【００１８】
児童生徒達が自らの手で簡単に星座表示装置を製作することができ、かつ多数の星が輝く中にので非常に美麗な星座表示装置製作用キット及び星座表示装置実現した。
【実施例１】
【００１９】
キットの組立て方
１．外筒用の工作用紙にスイッチをつける。該工作用紙を丸めて外筒を作る。
２．アルミニウムの反射板（アルミニウム箔）を内筒用の工作用紙に貼り付け、アルミニウムの反射板（アルミニウム箔）が内壁面となるようして外筒と同様にして内筒を作る。内筒の直径は、該内筒が外容器内に摺接可能に嵌装されるものとする。
３．図１に示すように平板状部材にＬＥＤが垂直方向、またＬＥＤを４５度方向で挿入され固定され、かつ電池ボックスを有するLED光源系（電池ボックスは図示せず）を前記作成した外筒の一端側の内腔内部に装着する。
４．濃青色の用紙に、前もって印刷した星座を乗せ、ずれないように仮止めして星の位置に、星の大きさに合わせながら、きりや押しピン、針などを使って穴をあける。該穴を開けた濃青色の用紙を内筒の直径と同じ直径の円を描いて切り、該円の外側にのりしろを作って星座板部材を作る、該星座板部材ののりしろを内筒の一端側開口部の内壁面に貼着する。
５．前記内筒を星座板部材が貼着された側を先端にして前記外筒内に挿入して星座表示装置を作成した。該星座表示装置は、LED光源のスイッチを入れ、LED光源とは反対側の開口部側から内筒内を見ると穴の数の星だけではなく、図１に示すように内筒のアルミニウムの反射板（アルミニウム箔）の上にも光反射によって多数の星が写し出され、筒の中に非常に多数の星があるように見える。なお、本実施例ではLCDの挿入角度は４５度を採用しているが、前記ＬＥＤの挿入角度は、前記のように内筒のアルミニウムの反射板（アルミニウム箔）上に光反射非常に多数の星が映し出されるような角度であれば良く、４５度に限定されるものではない。
【符号の説明】
【００２０】
１    LCD
２    LCD
３    LCD
４    ＬＣＤ及び電池（不図示）が配設され、これらが配線された発泡ポリスチロール板
５    円筒状外容器
６    円筒状外容器内５に摺接可能に嵌装される円筒状内容器
７    平板状星座板部材
８    平板状星座板部材の穴を通過したLED光
９    内筒のアルミニウムの反射板（アルミニウム箔）によって反射された光
【図１】
0003154575.tif 000003